(57)【要約】【課題】  安定して自立可能な遊技機を提供する。【解決手段】  遊技機（１）の枠体（３）に、当該枠体背面側に対して進退可能なスタンド（１１）を取り付け、当該スタンド（１１）が、進出時に遊技機（１）を背面方向に傾斜させた状態で保持可能に、かつ、少なくとも後退時に当該枠体幅方向に進出不能に、構成する。スタンド（１１）の作用によって遊技機（１）を安定して自立させることができる。また、スタンド（１１）は、少なくとも後退時に枠体幅方向に進出しないので、遊技機（１）を遊技島（１０１）に取り付ける際に邪魔にならない。【選択図】  図３
2006102073.tif 000002
【特許請求の範囲】
【請求項１】
正面と背面とを有する枠体と、
当該枠体に収納可能にヒンジ結合された遊技機本体と、を含む遊技機であって、
当該枠体には、当該枠体背面側に対して進退可能なスタンドを取り付けてあり、
当該スタンドが、進出時において、床面上に載置した当該枠体を背面方向に傾斜させた状態で当該遊技機本体とともに保持可能に、かつ、少なくとも後退時において、当該枠体幅方向に進出不能に、構成してある
ことを特徴とする遊技機。
【請求項２】
前記枠体が、幅方向に対向する一方及び他方の側板を含み、
前記スタンドが、当該一方の側板に上端をヒンジ固定した一方のアームと、当該他方の側板に上端をヒンジ固定した他方のアームと、を含み、
当該一方及び他方のアームが、当該一方及び他方の側板に対する進出時の角度が所定角度を超えないように一方及び他方の規制部材によって規制可能に構成してある
ことを特徴とする請求項１記載の遊技機。
【請求項３】
前記枠体の床面設置箇所には、滑り止め部材を設けてある
ことを特徴とする請求項１又は２記載の遊技機。
【請求項４】
前記一方のアームの下端及び前記他方のアームの下端には、各々滑り止め部材を設けてあることを特徴とする請求項１乃至３何れか記載の遊技機。
【請求項５】
前記枠体には、前記一方のアーム及び前記他方のアームを、後退時に前記枠体に保持するための保持部材を設けてある
ことを特徴とする請求項１乃至４何れか記載の遊技機。
【発明の詳細な説明】
【技術分野】
【０００１】
この発明は、スロットマシン、パチスロ、パロット(登録商標)、パチンコ機に代表される遊技機であって、遊技機島に設置前或いは取り外し後に床面等の上で自立可能な遊技機に関するものである。
【背景技術】
【０００２】
これまで知られている遊技機として、特許文献１に記載された遊技機（以下、適宜「従来の遊技機」という）がある。従来の遊技機は、正面矩形の枠体と、枠体にヒンジ結合された遊技機本体と、から概ね構成されている。遊技機本体は、床面の上に設置したときに直立させられるように、自重を支える箇所（領域）ができるだけ大きくなるように、かつ、直立可能となる位置に重心がくるように構成されている。すなわち、特許文献１には、底面構造と重心位置の選択により、遊技機を直立可能なものとする思想が開示されている。
【特許文献１】特開２００２−１８０６３号公報（段落００２６〜００３０、図１０〜１３参照）
【発明の開示】
【発明が解決しようとする課題】
【０００３】
従来の遊技機のように直立可能に構成されたものは、壁や遊技島等に立て掛けなくても済むわけであるから、なるほど便利ではある。しかし、実際の作業現場においては単なる直立だけでは不充分である。この点は、遊技場において、既に設置されていた旧遊技機と新遊技機とを交換する際に、特に顕著である。その背景を、まず説明する。図５に示すように、一般の遊技場には、複数の遊技機が並べられた遊技島１０１が幾つか設けられ、このような遊技島１０１，１０１間や遊技島１０１と壁面との間には、遊技者や従業員等を往来させるための通路１０３が設けられている。遊技機と対面する通路１０３には、遊技者が座るための椅子が据え付けられている。およそ遊技場なるものは、限られた敷地内に設営され、敷地の有効利用のために多くの遊技機が設置されている。換言すれば、通路は、遊技とは直接の関係を持つものではないので、その幅は、椅子を設置した後に遊技者等の往来をかろうじて確保できる程度まで狭められている。新旧遊技機の交換は、このような環境の中で行われる。
【０００４】
新旧遊技機の交換は、たとえば、次の手順で行われる（図５参照）。ここで、新旧遊技機が、外観構造上、上述した従来の遊技機であると仮定して説明する。遊技場の外に横付けされた運搬車の荷台から降ろした新遊技機１１１を、遊技場内に運び込み交換しようとする遊技島１０１近くの中央通路１０５に並べて置く。このとき、なるべく場所をとらないように新遊技機１１１の各々は、自立（直立）させておく。次は、旧遊技機１１０の取り外しである。取り外した旧遊技機１１０は、中央通路１０５の空いている場所に運び出され、そこで、直立させられる。この時点における中央通路１０５には、新旧の遊技機１１１，１１０が所を異にして直立しており、これに加え、新遊技機１１１を包装していて剥がされた包装部材Ｇが散乱している。中央通路を歩こうとする者は、これらを避けながら往来する必要がある。
【０００５】
遊技機の交換作業は、旧いものと新しいものとを、単に物理的に置きかえるだけではない。この他にも、新遊技機を管理装置（ホールコンピュータ）と接続したり、遊技機同士をＬＡＮ接続したり、接続後の動作確認をしたり、各遊技機にガラスを取り付けたり、遊技機がパチンコ機なのであればパチンコ球の補給や回収経路の調整をしたり、さらに、遊技釘の調整等をしたりする必要がある。これらの作業は、短時間のうちに行わなければならないし、各々専門性を有する。このため、各作業分野の専門家である多数の者が入れ替わり立ち替わり作業を行うことになり、中央通路や島間の通路は、非常に混雑した状態になる。作業を急ぐ作業員の心理とも相俟って、直立させてある新旧の遊技機と体の一部や作業服等が接触して倒してしまうことがよくある。遊技機は、その厚み方向（前後方向）に並べて直立させてあるから、一つを倒すと他の遊技機を将棋倒しさせてしまうこともある。
【０００６】
本発明が解決しようとする課題は、上述した問題点を解消することにある。すなわち、遊技場の床面等の上において、簡単には倒れない自立可能な遊技機を提供することにある。
【課題を解決するための手段】
【０００７】
上記課題を解決するために、本発明は次の構成を備えている。なお、何れかの請求項記載の発明を説明するに当たって行う用語の定義等は、その性質上可能な範囲において他の請求項記載の発明にも適用があるものとする。
【０００８】
（請求項１記載の発明の特徴）
請求項１記載の発明に係る遊技機（以下、「請求項１の遊技機」という）は、正面と背面とを有する枠体と、当該枠体に収納可能にヒンジ結合された遊技機本体と、を含む遊技機である。当該枠体には、当該枠体背面側に対して進退可能なスタンドを取り付けてあり、当該スタンドが、進出時において、床面上に載置した当該枠体を背面方向に傾斜させた状態で当該遊技機本体とともに保持可能に、かつ、少なくとも後退時において、当該枠体幅方向に進出不能に、構成してある。
【０００９】
請求項１の遊技機によれば、ヒンジ結合された枠体に対して遊技機本体が枠体の正面方向に開閉する。閉鎖時の遊技機本体は、枠体に収納される。開閉は、遊技機背面の保守や点検等のために遊技機が遊技機島に設置された後に主として行われる。背面方向に進出したスタンドが、背面方向に傾斜させた状態の遊技機（枠体及び遊技機本体）を保持する。したがって、遊技機は、正面を斜め上に向けた状態で自立する。この結果、遊技機正面を一辺とし、その頂部からスタンドの設置点に降ろした斜辺を他辺とするとともに、遊技機を設置した床面を底辺とする三角形が形成され、この構造が、正面背面方向に安定した遊技機設置を可能にする。つまり、正面から背面方向への遊技機転倒はスタンドがこれを支えて防ぎ、その逆方向への転倒は遊技機の重心が遊技機の中心を通る鉛直線よりも背面側に位置するため自重作用によりこれを防ぐ。したがって、作業員の体の一部が触れる等の外力が作用しても、遊技機が簡単に倒れることはない。遊技機を遊技島に取り付ける等の際にスタンド進出が不要となるときは、スタンドを後退させる。スタンドは、それが後退時に枠体正面方向や幅方向に進出することはない。したがって、遊技機を遊技島に取り付ける際に邪魔にならない。なお、進出時においても、同じく進出させないほうが占有面積を最小限に抑える上で好ましい。
【００１０】
（請求項２記載の発明の特徴）
請求項２記載の発明に係る遊技機（以下、適宜「請求項２の遊技機」という）では、請求項１の遊技機の基本的構成を備えさせた上で、前記枠体が、幅方向に対向する一方及び他方の側板を含ませて、また、前記スタンドが、当該一方の側板に上端をヒンジ固定した一方のアームと、当該他方の側板に上端をヒンジ固定した他方のアームと、を含ませて構成してある。さらに、当該一方及び他方のアームが、当該一方及び他方の側板に対する進出時の角度が所定角度を超えないように一方及び他方の規制部材によって規制可能に構成してある。
【００１１】
請求項２の遊技機によれば、請求項１の遊技機の作用効果に加え、一方のアームと他方のアームが、それぞれ一方の側板と他方の側板に対してヒンジ作用により開閉する。開いたときに枠体背面側に進出し、閉じたときに後退することになる。一方の規制部材は一方のアームを、他方の規制部材は他方のアームを、それぞれ開く角度を規制する。規制がないとすると一方の側板（他方の側板）と一方のアーム（他方のアーム）とが作る角度が大きくなりすぎて、やがて、遊技機が背面側に転倒する恐れがあるので、規制はこれを防ぐためである。
【００１２】
（請求項３記載の発明の特徴）
請求項３記載の発明に係る遊技機（以下、適宜「請求項３の遊技機」という）では、請求項１又は２の遊技機の基本的構成を備えさせた上で、前記枠体の床面設置箇所には、滑り止め部材を設けてある。
【００１３】
請求項３の遊技機によれば、請求項１又は２の遊技機の作用効果に加え、滑り止め部材の作用によって、床面に対する枠体の滑りが有効に防止される。滑り防止により遊技機が設置箇所から移動しづらくなり、安定した遊技機設置を実現することができる。
【００１４】
（請求項４記載の発明の特徴）
請求項４記載の発明に係る遊技機（以下、適宜「請求項４の遊技機」という）では、請求項１乃至３何れかの遊技機の基本的構成を備えさせた上で、前記一方のアームの下端及び前記他方のアームの下端には、各々滑り止め部材を設けてある。
【００１５】
請求項４の遊技機によれば、請求項１乃至３何れかの遊技機の作用効果に加え、床面に対するアームの滑りが有効に防止される。滑り防止によりアームが設置箇所から移動しづらくなり、安定した遊技機設置を実現することができる。
【００１６】
（請求項５記載の発明の特徴）
請求項５記載の発明に係る遊技機（以下、適宜「請求項５の遊技機」という）では、請求項１乃至４何れかの遊技機の基本的構成を備えさせた上で、前記枠体には、前記一方のアーム及び前記他方のアームを、後退時に前記枠体に保持するための保持部材を設けてある。
【００１７】
請求項５の遊技機によれば、後退時のアームを保持部材が保持することによって、アームを枠体と実質的に一体化する。これにより、たとえば、遊技機を運搬する際に、また、遊技島に遊技機を取り付ける際に、アームが作業者の邪魔をすることがより少なくなる。つまり、作業性を向上させる。
【発明の効果】
【００１８】
本発明によれば、遊技場の床面等の上において、簡単には倒れない自立可能な遊技機を提供することができる。安定して設置可能な遊技機であれば、遊技場における狭い通路等にも多数の台数を自立設置しても作業中に軽く触れた位では簡単に倒れない。したがって、作業員は、今までは設置してあった遊技機に気を遣う必要があったが、それが緩和されて作業に集中できるようになる。
【発明を実施するための最良の形態】
【００１９】
各図に基づいて、本発明の実施形態（以下、適宜「本実施形態」という）について説明する。図１は、本実施形態に係る遊技機の正面図である。図２は、自立させた遊技機の側面図である。図３は、自立させた遊技機を背面から見た斜視図である。図４は、遊技場の平面図である。
【００２０】
（遊技機の概略構造）
図１及び２を参照する。遊技機１は、パチンコ機であって、正面と背面とを有する枠体３と、枠体３の上端及び下端に設けたヒンジ７（下端のヒンジは図示省略）によって結合した遊技機本体５と、から概ね構成してある。枠体３は、一方及び他方の側板３ａ，３ａを含み、正面側から見て矩形の木枠であり、遊技場の遊技島（図４参照）に取り付け可能な寸法に形成してある。遊技機本体５は、その正面側にガラス枠３１を備え、ガラス枠３１の内部には、各種の表示装置や入賞口等を有する遊技盤３３が設けてある。同じく正面側には、賞球等を貯めるための上皿３５および下皿３７のほか、パチンコ球を遊技盤３３上に打ち出すためのハンドル３９等を設けてある。また、遊技機本体５の背面側には、２点鎖線で示す賞球タンク、パチンコ球の搬送路のほか、各種電子基板等を設けてある（図３参照）。符号１１は、後述するスタンドを示している。
【００２１】
（スタンドの構造）
図２及び３を参照する。スタンド１１は、一方と他方のアーム１２，１２を含めて構成してある。一方のアーム１２と他方のアーム１２は同じ構造を有しているので、以下における構造の説明は、一方のアーム１２についてのみ行う。すなわち、アーム１２は、アルミニウム製の棒材であって、その上端は、ヒンジ１３によって側板３ａの上部に固定してある。ヒンジ１３は、側板３ａ端面から背面方向に起立する一対の支持板１３ａ，１３ａと、対向する支持板１３ａ，１３ａを貫通する支軸１３ｂと、から構成してある。支軸１３ｂはアーム１２を貫通させてあり、これによって、アーム１２を側板３ａに対して開閉自在（枠体３の背面方向に進退自在）に支持している。アーム１２は、枠体３背面に対して垂直方向に進退するので、進出位置にあるときも、また、後退位置にあるときも、枠体３より幅方向に進出することはない。これは、進出位置にあるときのアーム１２，１２が、その設置のために必要以上の領域を占有しないように、また、後退位置にあるときのアーム１２，１２が、それらを有する遊技機を遊技機島（図４参照）に取り付けるときに隣の遊技機と干渉し合ったりしないようにするためである。
【００２２】
一方の支持板１３ａの先端側下端には、厚み方向に貫通する係止切欠１３ｃを形成してある。他方、アーム１２には側方（図２の手前方向）に突き出す係止ピン１２ｐを設けてある。係止ピン１２ｐは、係止切欠１３ｃに対応する位置に設けてあり、図２の２点鎖線で示す後退位置から同じく実線で示す進出位置まで移動させたときに、係止切欠１３ｃ内に下端開口から侵入して係止切欠１３ｃの周縁１３ｄに当接可能に構成してある。なお、本実施形態では、係止切欠１３ｃも係止ピン１２ｐも各々１個ずつだけであるが、上記一方の支持板１３ａと対向する他方の支持板１３ａにも係止切欠を設けるとともに、この係止切欠に対応する係止ピンをアーム１２に設けることもできる。
【００２３】
係止ピン１２ｐの当接は、アーム１２の進出を規制する。すなわち、係止切欠１３ｃを有する支持板１３ａと、係止ピン１２ｐは、本実施形態における規制部材を構成する。アーム１２の進出規制を行うのは、規制がないとすると一方の側板（他方の側板）と一方のアーム（他方のアーム）とが作る角度αが大きくなりすぎて、やがて、遊技機１が背面側に転倒する恐れがあるので、これを防ぐためである。背面方向に進出したスタンド１１は、背面方向に傾斜させた状態の遊技機１を保持する。このとき、遊技機１は、図２に示すように、正面を斜め上に向けた状態で自立する。この結果、遊技機１（遊技機本体５）の正面を一辺とし、枠体３頂部からスタンド１１の設置点、すなわち、下端に降ろした斜辺を他辺とするとともに、遊技機１を設置した床面を底辺とする三角形が形成され、これが、遊技機１を正面背面方向に安定して設置する。したがって、作業員の体の一部が触れる等の外力が作用しても、遊技機１が前後方向に簡単に倒れることはない。遊技機１は、ほぼ２０ｋｇの重量があるから、前後方向だけでなく幅方向に倒れることもない。なお、進出位置にあるアーム１２は、これを後退方向に戻せば、これに伴い係止切欠１３ｃから係止ピン１２ｐが離脱してアーム１２の規制が解除される。
【００２４】
図３に示すように、スタンド１１を構成する各アーム１２は、それを半時計回り方向に回動（進出）させると係止切欠１３ｃの周縁１３ｄに係止ピン１２ｐが係止されて自動的に回動が停止される（図３に示す左側の拡大図参照）。他方、逆方向に回動（後退）させたアーム１２，１２は側板３ａ，３ａに当接してそれ以上の移動を規制される（図３に示す右側の拡大図）。つまり、アーム１２，１２は、特別な操作を行うことなく単純に進退させるだけで、機能させることができる。上述したように遊技機１はほぼ２０ｋｇもあるので、それを運搬したり床面に設置したりすることは、作業員にとってかなりの重労働である。スタンド１１は、作業者に負担を掛けない。特別な道具も不要である。すなわち、作業者は両手で持っていた遊技機１を鉛直方向に下ろして床面上に設置した後に、片手で遊技機１を支え他方の片手でアーム１２，１２を進出させ、進出させたところで両手で遊技機１を背面方向に傾けるだけでよい。遊技機１を傾けると、アーム１２，１２の下端が床面に設置したところで（遊技機１は既に自立している）、両手を離せば自立設置が完了である。設置してある遊技機１を運搬しようとするときは、傾いている遊技機１を両手で持ちほぼ鉛直状態まで起こした後に、アーム１２，１２を後退させるだけでよい。アーム１２，１２の後退は、何れかの片手を使って行ってもよいが、両手は遊技機１に添えたまま足を使って行うこともできる。足でもできることは、作業者にとって非常に楽であり、負担軽減となる。
【００２５】
（滑り止め部材）
図２及び３を参照する。上述した遊技機１には、アーム１２，１２の進出を規制する規制部材が設けてありアーム１２，１２が必要以上に進出することが規制されるので、遊技機１を床面上に安定して設置できる。他方、枠体３やアーム１２，１２の下端は、遊技場にもよるが床面に対して滑りやすい場合もあり得る。そこで、遊技機１には、次に述べる滑り止め部材を設け、滑りを防止することによって、さらなる安定した床面設置を図ることが好ましい。具体的には、次のとおりである。
【００２６】
滑り止め部材を設けるのは、枠体３とアーム１２，１２の何れか一方だけでもよいが、より安定した設置のためには双方に設けるとよい。すなわち、本実施形態では、枠体３の床面設置箇所に滑り止め部材３ｓ，３ｓを、アーム１２，１２の下端に滑り止め部材１２ｓ，１２ｓを、それぞれ設けてある。何れの滑り止め部材もゴム製であって、それを設ける箇所の形状に応じて滑り止め部材３ｓ，３ｓはそれぞれシート状に、滑り止め部材１２ｓ，１２ｓはそれぞれブロック状に形成してある。滑り止め部材の作用によって、床面に対する枠体の滑りが有効に防止される。滑りの有効防止は、前述したアーム１２，１２の進退とも密接に関係する。すなわち、アーム１２，１２の進退、特に、後退操作を簡単にすることは作業者に対する負担軽減に重要であることは既に述べた通りであるが、他方、アーム１２，１２は後退方向に係止されていないので、それに代わる手段が必要である。それが、滑り止め部材である。つまり、ほぼ２０ｋｇの重さの遊技機１を傾斜支持するアーム１２，１２には相応の重量が掛かっており、この状態において滑り止め部材３ｓ，３ｓと滑り止め部材１２ｓ，１２ｓとが床面に対して簡単には動かない。したがって、後退方向の係止がなくても、遊技機１を安定して床面上に設置できるのである。
【００２７】
（保持部材）
図２及び３を参照する。側板３ａ，３ａの各々背面側端面下部には、保持部材１８，１８を固定してある。各保持部材１８は、背面方向に開口するほぼＣ字状の弾性変形可能な部材であって、合成樹脂により構成してある。各保持部材１８の役目は、後退状態にあるアーム１２，１２を、その開口部内に受け入れて枠体３に対して保持する点にある。遊技機１を運搬する際に、また、遊技島に遊技機を取り付ける際に、アーム１２，１２を枠体３（遊技機１）と一体化させることによって、作業者がアーム１２，１２を気にすることなく作業に集中できるようにするためのものである。
【００２８】
（遊技機の交換手順）
図４を参照する。ここで前提として、交換される旧遊技機は、上述したスタンドを有しない従来の遊技機であり、新遊技機が上述した遊技機１であるものとする。さらに、図４に示す遊技場には、多数の遊技島１０１，・・が設けてあり、遊技島１０１，１０１間には通路１０３，・・及び中央通路１０５が設けてある。まず、遊技場の外に横付けされた図外の運搬車の荷台から降ろした遊技機１，・・を、遊技場内に運び込み交換しようとする遊技島近くの中央通路１０５の端に並べて自立させておく。遊技機１の自立は、スタンド１１の働きによるものであるから、床面上において安定している。したがって、作業者等は頻繁に出入する中で遊技機１との接触があっても簡単に倒れることはない。次は、旧遊技機の取り外しである。取り外された旧遊技機１１０，・・は、中央通路１０５の空いている場所に運び出して、そこで、直立させておく。旧遊技機１１０は、上述したようなスタンドがなく直立しているだけであるから、遊技機１，・・に比べてはるかに倒れやすい。
【００２９】
旧遊技機１１０，・・の取り外しを完了したら、自立させてある遊技機１，・・を所定の遊技島１０１に運び、取り付ける。これと前後して、図外のホールコンピュータへの接続や遊技機１，・・同士のＬＡＮ接続等を行う。さらに、各遊技機１の釘調整や遊技島１０１へのパチンコ球補給等を行う。以上により、遊技機の交換を完了するが、上述したように、遊技機１，・・は安定して自立可能であるしきわめて倒れづらい。したがって、作業員は、自立する遊技機１，・・に対して求められる集中が緩和され、作業を円滑に進めることができる。
【図面の簡単な説明】
【００３０】
【図１】本実施形態に係る遊技機の正面図である。
【図２】自立させた遊技機の側面図である。
【図３】自立させた遊技機を背面から見た斜視図である。
【図４】遊技場の平面図である。
【図５】従来の遊技機を有する遊技場の平面図である。
【符号の説明】
【００３１】
１        遊技機
３        枠体
３ａ      側板
３ｓ      滑り止め部材
５        遊技機本体
７        ヒンジ
１１        スタンド
１２        アーム
１２ｐ      係止ピン
１２ｓ      滑り止め部材
１３        ヒンジ
１３ａ      支持板
１３ｂ      支軸
１３ｃ      係止切欠
１３ｄ      周縁
１８        保持部材
３１        ガラス枠
３３        遊技盤
３５        上皿
３７        下皿
３９        ハンドル
１０１        遊技島
１０３        通路
１０５        中央通路
１１０        旧遊技機
１１１        新遊技機
Ｇ            包装部材
【図１】
2006102073.tif 000003
【図２】
2006102073.tif 000004
【図３】
2006102073.tif 000005
【図４】
2006102073.tif 000006
【図５】
2006102073.tif 000007